(57)【要約】【課題】長孔用部材とピン用部材との位置関係が、通常時において、ピンの長孔に沿った移動によってこの長孔の長さ方向に変化することを防止できるようになるソーラーパネル用架台を提供すること。【解決手段】本架台は、ソーラーパネル設置場所に固定された支持部材となっている基礎杭２と、この基礎杭２に支持され、ソーラーパネルを配置するためのソーラーパネル配置用フレーム１と、を含んで構成され、上下方向の成分を有する長孔２１が形成された長孔用部材となっている受け部材１３と、長孔２１に挿入されたピンとなっているボルト２０を備えたピン用部材である揺動部材２２との位置関係が、ボルト２０の長孔２１に沿った移動により長孔２１の長さ方向に変更可能となっている架台であり、ボルト２０の長孔２１に沿った移動を通常時に粗面により阻止するための粗面式移動阻止手段４０を備えている。【選択図】図３
2015220845.tif 000002
【特許請求の範囲】
【請求項１】
ソーラーパネルを設置するためのソーラーパネル設置場所に固定された支持部材と、この支持部材により支持され、前記ソーラーパネルを配置するためのソーラーパネル配置用フレームと、を含んで構成されるソーラーパネル用架台であって、上下方向の成分を有する長孔が形成された長孔用部材と、前記長孔に挿入されたピンを備えているピン用部材との位置関係が、前記ピンの前記長孔に沿った移動によりこの長孔の長さ方向に変更可能となっているソーラーパネル用架台において、
前記ピンの前記長孔に沿った移動を粗面により阻止するための粗面式移動阻止手段を備えていることを特徴とするソーラーパネル用架台。
【請求項２】
請求項１に記載のソーラーパネル用架台において、前記粗面式移動阻止手段は、互いに対面する面を備えている２個の部材におけるこれらの面のうち、少なくとも一方の面が前記粗面になっていることにより形成されていることを特徴とするソーラーパネル用架台。
【請求項３】
請求項２に記載のソーラーパネル用架台において、互いに対面する面を備えている前記２個の部材におけるこれらの面の両方が前記粗面になっていることを特徴とするソーラーパネル用架台。
【請求項４】
請求項３に記載のソーラーパネル用架台において、前記ピンはボルトであり、このボルトの軸部は座金に挿通され、この座金は、互いに対面する面を備えている前記２個の部材のうちの一方の部材であり、他方の部材は前記長孔用部材であり、前記座金の厚さ方向両側の面のうち、一方の面は前記長孔用部材と対面し、前記一方の面と、この一方の面と対面する前記長孔用部材の表面とが前記粗面になっていることを特徴とするソーラーパネル用架台。
【請求項５】
請求項４に記載のソーラーパネル用架台において、前記ボルトの前記軸部は前記長孔用部材を貫通していて、この軸部の端部にはナットが螺合されており、前記座金として、前記ボルトの頭部と前記長孔用部材との間に配置されたボルト頭部用座金と、前記ナットと前記長孔用部材との間に配置されたナット用座金とがあり、前記ボルト頭部用座金における前記長孔用部材と対面する面と、この面と対面する前記長孔用部材の表面と、前記ナット用座金における前記長孔用部材と対面する面と、この面と対面する前記長孔用部材の表面とが前記粗面になっていることを特徴とするソーラーパネル用架台。        
【請求項６】
請求項１〜５のいずれかに記載のソーラーパネル用架台において、前記長孔用部材と前記ピン用部材とのうち、一方は前記支持部材に取り付けられているとともに、他方は前記ソーラーパネル配置用フレームに取り付けられており、前記長孔用部材の前記長孔は上下方向に長い孔となっており、この長孔により前記支持部材での前記ソーラーパネル配置用フレームの支持高さ位置が上下方向に変更可能となっていることを特徴するソーラーパネル用架台。
【請求項７】
請求項１〜５のいずれかに記載のソーラーパネル用架台において、前記支持部材の上下方向の途中箇所と前記ソーラーパネル配置用フレームとの間には、方杖部材が上下の傾き角度をもって架け渡されており、前記長孔用部材と前記ピン用部材は前記方杖部材を形成する部材となっており、前記長孔用部材の前記長孔は、前記方杖部材の長さ方向に長い長孔となっていることを特徴とするソーラーパネル用架台。
【請求項８】
請求項１〜７のいずれかに記載のソーラーパネル用架台において、前記粗面式移動阻止手段の前記粗面は、前記長孔の長さ方向と直交する方向に延びる凹凸条が前記長孔の長さ方向に並設された面になっていることを特徴とするソーラーパネル用架台。
【発明の詳細な説明】
【技術分野】
【０００１】
本発明は、太陽光発電のためのソーラーパネルを配置するために用いられるソーラーパネル用架台に係り、例えば、大規模発電のためのメガソーラーシステムに利用することができるものである。
【背景技術】
【０００２】
太陽光で発電するソーラーパネルを、例えば、傾斜地の地盤などに配置するためには、ソーラーパネル用架台をその場所に設置することが行われる。下記の特許文献１に示されているソーラーパネル用架台は、ソーラーパネル設置場所である地盤に固定された支持部材となっている複数本の支柱と、これらの支柱により支持され、ソーラーパネルを配置するためのソーラーパネル配置用フレームと、を含んで構成されている。
【０００３】
また、特許文献１に示されているソーラーパネル用架台では、ソーラーパネル配置用フレームに、上下方向の成分を有する長孔が形成された長孔用部材が取り付けられているとともに、それぞれの支柱の上端には、この長孔部材の長孔に挿入されたピンを備えているピン用部材が取り付けられており、長孔用部材とピン用部材との位置関係が、ピンの長孔に沿った移動によりこの長孔の長さ方向に変更可能となっていることにより、ソーラーパネル用架台が設置されている地盤の不等沈下に対処できるようになっている。
【先行技術文献】
【特許文献】
【０００４】
【特許文献１】特開２０１２−６９９２９号公報
【発明の概要】
【発明が解決しようとする課題】
【０００５】
以上のようにソーラーパネル用架台に、上下方向の成分を有する長孔が形成された長孔用部材と、この長孔部材の長孔に挿入されたピンを備えているピン用部材とを設け、長孔用部材とピン用部材との位置関係を、ピンの長孔に沿った移動によりこの長孔の長さ方向に変更可能とする場合には、通常時において、ソーラーパネル配置用フレームやこのフレームに配置されるソーラーパネル等の重量が長孔用部材とピン用部材に作用しても、これらの長孔用部材とピン用部材との位置関係が、ピンの長孔に沿った移動によってこの長孔の長さ方向に変化することがなく、これらの長孔用部材とピン用部材とが所定の位置関係を維持するようになる工夫が求められる。
【０００６】
本発明の目的は、長孔用部材とピン用部材との位置関係が、通常時において、ピンの長孔に沿った移動によってこの長孔の長さ方向に変化することを防止できるようになるソーラーパネル用架台を提供するところにある。
【課題を解決するための手段】
【０００７】
本発明に係るソーラーパネル用架台は、ソーラーパネルを設置するためのソーラーパネル設置場所に固定された支持部材と、この支持部材により支持され、前記ソーラーパネルを配置するためのソーラーパネル配置用フレームと、を含んで構成されるソーラーパネル用架台であって、上下方向の成分を有する長孔が形成された長孔用部材と、前記長孔に挿入されたピンを備えているピン用部材との位置関係が、前記ピンの前記長孔に沿った移動によりこの長孔の長さ方向に変更可能となっているソーラーパネル用架台において、前記ピンの前記長孔に沿った移動を粗面により阻止するための粗面式移動阻止手段を備えていることを特徴とするものである。
【０００８】
このソーラーパネル用架台によると、このソーラーパネル用架台は、ピンの長孔に沿った移動を粗面により阻止するための粗面式移動阻止手段を備えているため、長孔用部材とピン用部材との位置関係が、ピンの長孔に沿った移動によりこの長孔の長さ方向に変更可能となっていても、通常時において、長孔用部材とピン用部材とに、ピンの長孔に沿った移動によってこの長孔の長さ方向の変位が生ずることが、粗面式移動阻止手段の粗面の摩擦により阻止することができ、これにより、長孔用部材とピン用部材とが通常時に所定の位置関係を維持するようになる。
【０００９】
本発明において、粗面式移動阻止手段は粗面によりピンの長孔に沿った移動を阻止できるものであれば、任意の構造、形態のものでよく、その一例は、互いに対面する面を備えている２個の部材におけるこれらの面のうち、少なくとも一方の面が粗面になっているものである。
【００１０】
また、本発明において、互いに対面する面を備えている前記２個の部材におけるこれらの面の両方が粗面になっていてもよい。
【００１１】
このように互いに対面する面を備えている２個の部材におけるこれらの面の両方を粗面することも、任意の構造、形態により実施することができ、その一例は、前記ピンをボルトとし、このボルトの軸部を座金に挿通し、この座金を、互いに対面する面を備えている前記２個の部材のうちの一方の部材とするとともに、他方の部材を前記長孔用部材とし、座金の厚さ方向両側の面のうち、一方の面を長孔用部材と対面させ、この一方の面と、この一方の面と対面する長孔用部材の表面とを粗面とすることである。
【００１２】
また、このように互いに対面する面を備えている２個の部材におけるこれらの面の両方を粗面する場合において、前記ボルトの軸部を長孔用部材に貫通させ、この軸部の端部にはナットを螺合するようにし、前記座金として、ボルトの頭部と長孔用部材との間に配置されたボルト頭部用座金と、ナットと長孔用部材との間に配置されたナット用座金とを設け、ボルト頭部用座金における長孔用部材と対面する面と、この面と対面する長孔用部材の表面と、ナット用座金における長孔用部材と対面する面と、この面と対面する長孔用部材の表面とを粗面にしてもよい。  
【００１３】
さらに、本発明において、長孔用部材とピン用部材は、ソーラーパネル用架台の任意の箇所に配置されるものでよく、その一例は、長孔用部材とピン用部材とのうち、一方を支持部材に取り付けるとともに、他方をソーラーパネル配置用フレームに取り付け、長孔用部材の長孔を上下方向に長い孔とし、この長孔により支持部材でのソーラーパネル配置用フレームの支持高さ位置を上下方向に変更可能としてもよい。
【００１４】
また、他の例は、支持部材の上下方向の途中箇所とソーラーパネル配置用フレームとの間に方杖部材を上下の傾き角度をもって架け渡す場合において、長孔用部材とピン用部材とを方杖部材を形成する部材とし、長孔用部材の長孔を方杖部材の長さ方向に長い長孔とすることにより、方杖部材の長さを変更できるようにすることである。
【００１５】
さらに、本発明における粗面式移動阻止手段の粗面は、この粗面に生ずる摩擦により、ピンが長孔に沿って移動することを阻止できるものであれば、任意の形態のものでよく、その一例は、粗面を、長孔の長さ方向と直交する方向に延びる凹凸条が長孔の長さ方向に並設された面とすることであり、他の例は、粗面を、微小の凹部及び／又は凸部が多数形成された面とすることである。
【００１６】
以上説明した本発明に係るソーラーパネル用架台において、ソーラーパネル配置用フレームは任意の部材を任意に組み合わせて形成されるものでよく、例えば、根太部材と梁部材のように縦横に組み合わせられる複数の部材からなるものでもよく、あるいは、間隔を開けて平行に並設される複数本の部材からなるものでもよく、あるいは、複数の部材により四角形に形成されたものでもよい。
【００１７】
また、本発明に係るソーラーパネル用架台は、太陽光を受けるソーラーパネルで発電できる場所であれば、任意の場所に設置されるものでよく、この設置場所は、例えば、傾斜地や平坦の地盤でもよく、建物の屋根でもよく、建物の屋上でもよい。
【００１８】
また、本発明において、ソーラーパネル配置用フレームを支持するための支持部材は、頭部を地上に残して地盤の内部に打ち込まれ基礎杭でもよく、下部をコンクリート等による基礎で固定される支柱でもよい。
【００１９】
さらに、本発明に係るソーラーパネル用架台は、大規模発電のためのメガソーラーシステムにも利用することができる。
【発明の効果】
【００２０】
本発明によると、長孔用部材とピン用部材との位置関係が、通常時において、ピンの長孔に沿った移動によってこの長孔の長さ方向に変化することを防止でき、これらの長孔用部材とピン用部材とを、通常時に所定の位置関係に維持させることができるという効果を得られる。
【図面の簡単な説明】
【００２１】
【図１】図１は、本発明の一実施形態に係るソーラーパネル用架台の全体を示す平面図である。
【図２】図２は、図１で示されている支持部材となっている基礎杭や、ソーラーパネル配置用フレームの構成部材となっている梁部材、及び方杖部材を示す斜視図である。
【図３】図３は、図２の一部拡大図であって、基礎杭の頂部での梁部材の支持構造を示す斜視図である。
【図４】図４は、図３の正面図である。
【図５】図５は、梁部材が基礎杭の頂部で上下揺動可能に支持されていることを示す正面図である。
【図６】図６は、図５に示されている揺動部材の全体を示す斜視図である。
【図７】図７は、図５の一部拡大図であって、粗面式移動阻止手段の粗面の状態を示す正面である。
【図８】図８は、図７で示されている座金と、長孔用部材となっている受け部材とを分離して示した図であり、（Ａ）は座金の正面図であって、（Ｂ）は受け部材の正面図である。
【図９】図９は、図２の一部拡大図であって、基礎杭と方杖部材との連結箇所を示す斜視図である。
【図１０】図１０は、本発明の他の実施形態に係るソーラーパネル用架台の全体を示す平面図である。
【図１１】図１１は、図１０の実施形態における図３と同様の図である。
【図１２】図１２は、図１１の側面図である。
【発明を実施するための形態】
【００２２】
以下に本発明を実施するための形態を図面に基づいて説明する。図１には、本発明の一実施形態に係るソーラーパネル用架台の全体の平面図が示されており、このソーラーパネル用架台は、傾斜地の地盤に設置されているものである。また、このソーラーパネル用架台は、複数枚のソーラーパネルＳが配置されているソーラーパネル配置用フレーム１と、このソーラーパネル配置用フレーム１を頂部で支持するための支持部材となっている複数本の基礎杭２と、これら基礎杭２ごとに設けられ、基礎杭２とソーラーパネル配置用フレーム１との間に架け渡された方杖部材３とを含んで構成されており、複数本の基礎杭２は、頭部を地上に残して傾斜地の地盤の内部に打ち込まれることによりこの地盤に固定されているとともに、これらの基礎杭２は、傾斜地の傾斜側と直角又は略直角をなす方向に並設されている。
【００２３】
本実施形態に係るソーラーパネル配置用フレーム１は、それぞれの基礎杭２ごとに設けられ、これらの基礎杭２の頂部で支持されていて、傾斜地の傾斜側に延びる長さを有する梁部材４と、これらの梁部材４の上面に梁部材４と直角又は略直角をなして配置され、傾斜地の傾斜側に複数本が並設されている根太部材５とからなり、縦横に組み合わせられた細長部材となっているこれらの梁部材４と根太部材５は、ボルト等の締結部材６Ａにより締結されている。そして、それぞれのソーラーパネルＳは、ソーラーパネル配置用フレーム１の上面に縦横に配置されて取り付けられ、この取り付けは、根太部材５にボルト等の締結具で取り付けた押え部材等の結合部材６ＢによりソーラーパネルＳを根太部材５に結合することにより行われている。
【００２４】
図２には、基礎杭２と方杖部材３と梁部材４が示されており、本実施形態における基礎杭２はＨ型鋼で形成されている。方杖部材３は、基礎杭２の上下方向の途中箇所とソーラーパネル配置用フレーム１との間に上下の傾き角度をもって架け渡され、方杖部材３の長さ方向の両端部のうち、一方の端部は、梁部材４の下面に結合されたブラケット部材７にボルト等のピン８により上下回動自在に連結され、他方の端部は、基礎杭２の前面に結合されたブラケット部材９にボルト等のピン１０により上下回動自在に連結されている。
【００２５】
図３には、基礎杭２の頂部での梁部材４の支持構造が示されている。基礎杭２の上端部には、一対の取付部材１１を介して板状のベース部材１２が取り付けられており、このベース部材１２に受け部材１３が配置されている。この受け部材１３は、ベース部材１２の上面に載せられた板状の下部１３Ａと、この下部１３Ａの端部から鉛直に立ち上がった立上部１３ＢとからなるＬ字形状のものである。図４は図３の正面図であり、この図４に示されているように、ベース部材１２には、２個の受け部材１３が梁部材４を挿入するための間隔をあけて左右対称に配置されている。また、図３から分かるように、それぞれの受け部材１３は、ベース部材１２にボルト１４及びナット１５による結合具１６で結合されているとともに、ボルト１４の軸部は、ベース部材１２に前後方向に長く形成された長孔１７に挿入されているため、ボルト１４及びナット１５の締め付け前に、ベース部材１２におけるそれぞれの受け部材１３の配置位置を長孔１７に沿って移動させて調整できるようになっている。
【００２６】
図３には、受け部材１３に梁部材４を取り付けるための部材となっているボルト２０の頭部２０Ａが示されており、２個の受け部材１３の間に配置された梁部材４は、図５から分かるように、ボルト２０の軸部２０Ｂを中心に上下揺動自在となって２個の受け部材１３に取り付けられており、それぞれの受け部材１３には、図３から分かるように、ボルト２０の軸部２０Ｂを挿通させるための長孔２１が形成されており、この長孔２１は上下方向に長い孔である。
【００２７】
なお、図５は、梁部材４がボルト２０の軸部２０Ｂを中心に上下揺動自在となっていることを示すために、梁部材４の長さ方向を受け部材１３の立上部１３Ｂの立ち上がり方向に対して直角方向として示した図になっている。
【００２８】
本実施形態では、２個の受け部材１３の間に配置された梁部材４を、ボルト２０の軸部２０Ｂを中心に上下揺動自在にして２個の受け部材１３に取り付けるために、図６に示されている揺動部材２２が用いられている。この揺動部材２２は、同一断面形状が長さ方向に連続しているアルミ又はアルミ合金製の押出成形品又は引抜成形品を、これらの成形品の長さ方向である幅方向に所定の寸法ごとに切断することにより形成されたものであり、上部の板状の取付平面部２２Ａと、この取付平面部２２Ａの下面に設けられたボックス部２２Ｂとからなる。ボックス部２２Ｂの内部には、仕切り壁２２Ｃと、上下に互いに対向して設けられた突起部２２Ｄ，２２Ｅとにより、ボルト２０の軸部２０Ｂを挿通させるための挿通空間部２３が形成されている。また、ボックス部２２Ｂから外れた取付平面部２２Ａの両端部には、２個の孔２４が形成されている。
【００２９】
図５から分かるように、これらの孔２４に軸部２５Ｂが挿入されるＴ型ボルト２５と、ナット２６とにより、揺動部材２２は梁部材４の下面に取り付けられる。この取り付けは、Ｔ型ボルト２５の長方形の頭部２５Ａを、梁部材４の下面に設けられている溝部４Ａに挿入し、Ｔ型ボルト２５の軸部２５Ｂを揺動部材２２の孔２４に挿入した後に、軸部２５Ｂにナット２６を螺合して締め付けることにより行われる。これにより、揺動部材２２は、梁部材４が構成部材となって構成されるソーラーパネル配置用フレーム１に取り付けられた部材となる。
【００３０】
このようにして梁部材４の下面に揺動部材２２を取り付けて、この梁部材４を２個の受け部材１３の間に挿入した後に、図５から分かるように、これらの受け部材１３のうち、一方の受け部材１３の長孔２１に、前述のボルト２０の軸部２０Ｂを挿通するとともに、この軸部２０Ｂを揺動部材２２の挿通空間部２３にも挿通し、さらに、軸部２０Ｂを他方の受け部材１３の長孔２１にも挿通し、軸部２０Ｂの端部にナット２７を螺合して締め付ける。
【００３１】
これにより、前述のソーラーパネル配置用フレーム１の構成部材となっている梁部材４は、揺動部材２２と、ボルト２０及びナット２７と、受け部材１３等とを介して、ソーラーパネル配置用フレーム１を支持するための前述の支持部材となっている基礎杭２の頂部に取り付けられることになり、この取り付けは、ボルト２０の軸部２０Ｂを中心に梁部材４を上下揺動自在にして行われる。
【００３２】
なお、以上の取付作業を行う際には、図５に示されているように、ボルト２０の頭部２０Ａと一方の受け部材１３との間に、ボルト２０の軸部２０Ｂが挿通されたボルト頭部用座金２８が配置され、また、他方の受け部材１３とナット２７との間にも、ボルト２０の軸部２０Ｂが挿通されたナット用座金２９が配置される。
【００３３】
図９には、図２で示した基礎杭２と方杖部材３との連結構造が示されている。前述したように、基礎杭２に設けられたブラケット部材９に下側の端部がボルト等のピン１０で上下回動自在に連結されている方杖部材３は、図９に示されているように、長い寸法を有する長寸法部材３０と、短い寸法を有する短寸法部材３１とを、一部同士を重ね合わせて方杖部材３の長さ方向に並べることにより形成されており、板状となっている短寸法部材３１は、長寸法部材３０の幅方向（厚さ方向）両側に２個あり、これらの短寸法部材３１の後端部がブラケット部材９にピン１０により上下回動自在に連結されている。
【００３４】
それぞれの短寸法部材３１には、方杖部材３の長さ方向に長い長孔３２、言い換えると、上下方向の成分を有している長孔３２が形成されており、これらの短寸法部材３１のうち、一方の短寸法部材３１の長孔３２には、ボルト３３の軸部が挿通され、この軸部は長寸法部材３０に形成された丸孔に挿通されて、他方の短寸法部材３１の長孔３２にも挿通され、この軸部の端部にナットが螺合されて締め付けられている。これにより、長寸法部材３０と短寸法部材３１はボルト３３及びナットにより結合されるとともに、ボルト３３及びナットを緩めることにより、長孔３２の長さ寸法分だけ方杖部材３の長さ寸法を調整することができる。
【００３５】
また、この方杖部材３についても、ボルト３３の頭部３３Ａと一方の短寸法部材３１との間に、ボルト３３の軸部が挿通されたボルト頭部用座金３４が配置され、また、他方の短寸法部材３１とナットとの間にも、ボルト３３の軸部が挿通されたナット用座金が配置される。
【００３６】
以上の本実施形態において、図４及び図５で示されているボルト２０の軸部２０Ｂが挿通されている一対の受け部材１３は、基礎杭２の頂部においてソーラーパネル配置用フレーム１を受けるための部材となっている。
【００３７】
また、本実施形態において、それぞれの受け部材１３には上下方向に長い長孔２１が形成されているため、これらの受け部材１３は長孔用部材となっており、方杖部材３の構成部材となっているそれぞれの短寸法部材３１にも方杖部材３の長さ方向に長い長孔３２が形成されているため、これらの短寸法部材３１も長孔用部材となっている。さらに、受け部材１３の長孔２１に軸部２０Ｂが挿入されているボルト２０は、梁部材４の上下方向の揺動中心軸となっているピンとなっており、短寸法部材３１の長孔３２に軸部が挿入されているボルト３３は、長寸法部材３０と短寸法部材３１とを連結するためのピンとなっている。そして、ピンとなっているボルト２０の軸部２０Ｂが挿入されている揺動部材２２は、ピンを備えた部材となっているため、前述したようにソーラーパネル配置用フレーム１に取り付けられた部材となっているこの揺動部材２２も、ピン用部材となっている。また、短寸法部材３１と共に方杖部材３を構成する部材となっていて、ピンとなっているボルト３３の軸部が丸孔に挿入されている長寸法部材３０は、ピンを備えた部材となっているため、この長寸法部材３０もピン用部材となっている。
【００３８】
なお、本実施形態では受け部材１３は２個存在しているが、この受け部材は、梁部材が挿入される間隔をあけて設けられた２個の立上部の下端部同士を連結するための底部を有している１個の部材としてもよい。
【００３９】
以上の本実施形態に係るソーラーパネル用架台では、ボルト２０の軸部２０Ｂが挿通された受け部材１３の孔は、上下方向に長い長孔２１となっているため、図１で説明したように、傾斜地の地盤に頭部を地上に残して打ち込まれるそれぞれの基礎杭２の打ち込み深さに誤差が生じても、この誤差を長孔２１により解消して、それぞれの基礎杭２の頂部での梁部材４の支持高さ位置を一致させることができる。
【００４０】
また、基礎杭２の頂部でのそれぞれの受け部材１３の配置位置は、図３で説明したように、基礎杭２に取り付けられているベース部材１２に前後方向に長く形成された長孔１７により、前後方向に調整できるようになっているため、それぞれの基礎杭２を傾斜地の地盤に打ち込む際に、打ち込み位置に前後方向の誤差が生じても、この誤差を長孔１７により解消することができる。
【００４１】
また、本実施形態では、ソーラーパネル配置用フレーム１は、このフレーム１と基礎杭２との間に上下の傾き角度をもって架け渡されている方杖部材３によっても支持されているため、複数本の基礎杭２を、直交する２方向のうち、一方の方向、本実施形態では前述したように傾斜地の傾斜側と直角又は略直角をなす方向だけに並設すればよく、用いる基礎杭２の本数を削減できる。
【００４２】
さらに、本実施形態に係る方杖部材３は、前述したように長さ寸法が調整可能となっているため、梁部材４がボルト２０の軸部２０Ｂを中心に上下揺動自在となって基礎杭２の頂部で支持されているソーラーパネル配置用フレーム１は、方杖部材３の長さ寸法調整を行うことによって上下の傾き角度を変更できることになり、このため、ソーラーパネル配置用フレーム１の太陽に対する仰角を、本実施形態に係るソーラーパネル用架台が設置された場所で適切とされる大きさに設定することができる。
【００４３】
図７は、図５の一部拡大図である。この図７に示されているように、前述したナット用座金２９の厚さ方向両側の面のうち、一方の面２９Ａは、２個の受け部材１３のうち、図４及び図５の左側の受け部材１３と対面する面となっている。この面２９Ａは図８（Ａ）に示されており、この面２９Ａは、多数の凹条３５Ａと凸条３５Ｂとが交互に並設された粗面となっている。また、面２９Ａと対面する受け部材１３の立上部１３Ｂの表面１３Ｃは、図８（Ｂ）に示されており、この表面１３Ｃも、多数の凹条３６Ａと凸条３６Ｂとが交互に並設された粗面となっている。
【００４４】
また、図４及び図５に示されているボルト頭部用座金２８の厚さ方向両側の面のうち、一方の面は、図４及び図５の右側の受け部材１３と対面する面となっており、この一方の面と、この一方の面と対面する受け部材１３の表面も、多数の凹条３５Ａ，３６Ａと凸条３５Ｂ，３６Ｂとが交互に並設された粗面となっている。
【００４５】
凹条３５Ａ，３６Ａと凸条３５Ｂ，３６Ｂは、受け部材１３に設けられている長孔２１と直交する方向に延びており、また、凹条３５Ａ，３６Ａと凸条３５Ｂ，３６Ｂのうち、受け部材１３の表面に設けられている凹条３６Ａと凸条３６Ｂは、図３から分かるように、長孔２１の長さを越える範囲に渡って形成されている。
【００４６】
なお、凹条３６Ａと凸条３６Ｂが表面に形成されている受け部材１３も、前述の揺動部材２２と同様に、同一断面形状が長さ方向に連続しているアルミ又はアルミ合金製の押出成形品又は引抜成形品を、これらの成形品の長さ方向である幅方向に所定の寸法ごとに切断することにより形成されたものである。
【００４７】
以上の本実施形態によると、ボルト２０及びナット２７を緩めることにより、ボルト頭部用座金２８及びナット用座金２９と受け部材１３との圧接が解除されるため、ピンとなっているボルト２０及びピン用部材となっている揺動部材２２の位置を受け部材１３の長孔２１の長さ方向に変更することにより、基礎杭２の頂部でのソーラーパネル配置用フレーム１の支持高さ位置を調整できるとともに、この調整作業後にボルト２０及びナット２７を締め付けると、ボルト頭部用座金２８及びナット用座金２９と受け部材１３との間には、凹条３５Ａ，３６Ａと凸条３５Ｂ，３６Ｂにより、上下方向の移動に対する大きな摩擦が生ずるため、ボルト２０や揺動部材２２にソーラーパネルＳやソーラーパネル配置用フレーム１等の重量に基づく下方への大きな荷重が作用しても、ボルト２０及び揺動部材２２と受け部材１３との位置関係が、受け部材１３の長孔２１に沿ったボルト２０の移動により変化してしまうことを阻止できることになり、これにより、基礎杭２の頂部でのソーラーパネル配置用フレーム１の支持高さ位置を、ボルト２０及びナット２７の締め付けで設定された所定の高さ位置に維持できる。
【００４８】
このため、図５及び図７に示されているように、ボルト頭部用座金２８及びナット用座金２９と受け部材１３との間には、凹条３５Ａ，３６Ａと凸条３５Ｂ，３６Ｂによる粗面によりボルト２０及び揺動部材２２の長孔２１に沿った移動を阻止するための粗面式移動阻止手段４０が設けられていることになる。
【００４９】
本実施形態では、図８（Ａ）及び（Ｂ）で示した凹条３５Ａ，３６Ａ及び凸条３５Ｂ，３６Ｂと同様の凹条及び凸条は、図９で示したボルト頭部用座金３４の厚さ方向両側の面のうち、短寸法部材３１と対面する一方の面と、この一方の面と対面する短寸法部材３１の表面と、前述したナット用座金の厚さ方向両側の面のうち、短寸法部材３１と対面する一方の面と、この一方の面と対面する短寸法部材３１の表面とに設けられている。このため、これらの面は粗面になっているとともに、ボルト頭部用座金３４及びナット用座金と短寸法部材３１との間にも、ボルト３３の長孔３２に沿った移動を阻止するための粗面式移動阻止手段４０が設けられている。
【００５０】
このため、方杖部材３の長さ寸法を所定寸法に変更してボルト３３及びナットを締め付けた後は、方杖部材３に、ソーラーパネルＳやソーラーパネル配置用フレーム１等の重量に基づく方杖部材３の長さ方向の圧縮力が作用しても、粗面式移動阻止手段４０により、ボルト３３の長孔３２に沿った移動を阻止することができ、方杖部材３の所定長さ寸法を維持することができる。
【００５１】
なお、短寸法部材３１も、前述の揺動部材２２と同様に、同一断面形状が長さ方向に連続しているアルミ又はアルミ合金製の押出成形品又は引抜成形品を、これらの成形品の長さ方向である幅方向に所定の寸法ごとに切断することにより形成されたものである。
【００５２】
図１０は、本発明に係る別実施形態に係るソーラーパネル用架台を示す平面図であり、このソーラーパネル用架台も傾斜地の地盤に設置されている。この実施形態では、複数枚のソーラーパネルＳを配置するためのソーラーパネル配置用フレーム５１は、このフレーム５１を支持する支持部材となっている基礎杭５２の頂部で支持されているとともに、傾斜地の地盤に頭部を地上に残して打ち込まれているこの基礎杭５２は、傾斜地の傾斜側と直角又は略直角をなす方向と、この方向と直交する方向との二つの方向にそれぞれに複数本が並設されている。
【００５３】
傾斜地の傾斜側と直角又は略直角をなす方向に並設されている基礎杭５２には、梁部材５４が架け渡され、傾斜地の傾斜側に複数本が並設されている梁部材５４の上面には、傾斜地の傾斜側へ延びる長さを有する根太部材５５が配置され、この根太部材５５は、傾斜地の傾斜側と直角又は略直角をなす方向に複数本並設されており、ボルト等の締結部材５６で締結されたこれらの梁部材５４と根太部材５５によりソーラーパネル配置用フレームが形成されている。なお、それぞれのソーラーパネルＳは、図示しない結合具によりソーラーパネル配置用フレームに結合されている。
【００５４】
梁部材５４はそれぞれの基礎杭５２の頂部で支持されており、図１１には、この支持構造が示されている。この実施形態でも、図１１に示されているように、基礎杭５２の上端部に一対の取付部材６１を介して取り付けられた板状のベース部材６２には、受け部材６３が配置され、この受け部材６３は、ベース部材６２の上面に載せられた板状の下部６３Ａと、この下部６３Ａの端部から鉛直に立ち上がった立上部６３ＢとからなるＬ字形状のものであり、図１２に示されているように、ベース部材６２には、２個の受け部材６３が梁部材５４を挿入するための間隔をあけて左右対称に配置されている。また、図１１から分かるように、それぞれの受け部材６３は、ベース部材６２にボルト６４及びナット６５による結合具６６で結合されているとともに、ボルト６４の軸部は、ベース部材６２に前後方向に長く形成された長孔６７に挿入されている。このため、ボルト１４及びナット１５を締め付ける前に、ベース部材６２におけるそれぞれの受け部材６３の配置位置は、前記実施形態と同様に、長孔６７に沿って前後方向に調整できるようになっている。
【００５５】
図１１に示されているように、２個の受け部材６３には上下に長い長孔７１が設けられ、また、図１２に示されているように、これらの受け部材６３の間には、図６で示した揺動部材２２と同様の揺動部材７２が配置され、この揺動部材７２は、図５で説明したＴ型ボルト２５及びナット２６と同様の手段により梁部材５４の下面に取り付けられている。図１２から分かるように、２個の受け部材６３のうち、一方の受け部材６３の長孔７１には、ボルト７０の軸部７０Ｂが挿通され、この軸部７０Ｂは揺動部材７２の挿通空間部にも挿通されて、軸部７０Ｂは他方の受け部材６３の長孔７１にも挿通され、軸部７０Ｂの端部にナット７７が螺合して締め付けられる。
【００５６】
これにより、ソーラーパネル配置用フレーム５１の構成部材となっている梁部材５４は、揺動部材７２と、ボルト７０及びナット７７と、受け部材６３等とを介して、ソーラーパネル配置用フレーム１を支持するための支持部材となっている基礎杭５２の頂部に取り付けられ、この取り付けは、ボルト７０の軸部７０Ｂを中心に上下揺動自在に行われる。
【００５７】
なお、以上の取付作業を行う際にも、図１２に示されているように、ボルト７０の頭部７０Ａと一方の受け部材６３との間に、ボルト７０の軸部７０Ｂが挿通されたボルト頭部用座金７８が配置され、また、他方の受け部材６３とナット７７との間にも、ボルト７０の軸部７０Ｂが挿通されたナット用座金７９が配置される。
【００５８】
この実施形態では、傾斜地の傾斜側と直角又は略直角をなす方向に延びる長さを有する梁部材５４は、傾斜地の傾斜側と直角又は略直角をなす方向に複数本が並設されている基礎杭５２の頂部にボルト７０の軸部７０Ｂを中心に上下揺動自在に支持されているため、傾斜地の傾斜側と直角又は略直角をなす方向にも傾斜があっても、この傾斜に有効に対処することができる。
【００５９】
また、それぞれの基礎杭５２の打ち込み位置に前後方向の誤差があっても、基礎杭５２に対する受け部材６３の配置位置は、ベース部材６２に前後方向に長く形成された長孔６７により調整できるため、それぞれの基礎杭５２の打ち込み位置についての上記誤差を解消することができる。
【００６０】
さらに、基礎杭５２の頂部での梁部材５４の支持高さ位置は、受け部材６３に上下に長く形成された長孔７１により調整できるため、それぞれの基礎杭５２の打ち込み深さに誤差があっても、この誤差を解消することができる。
【００６１】
この実施形態では、図８（Ａ）及び（Ｂ）で示した凹条３５Ａ，３６Ａ及び凸条３５Ｂ，３６Ｂと同様の凹条及び凸条が、図１２で示したナット用座金７９の厚さ方向両側の面のうち、図１２の左側の受け部材６３と対面する面と、この面と対面する受け部材６３の表面と、ボルト頭部用座金７８の厚さ方向両側の面のうち、図１２の右側の受け部材６３と対面する面と、この面と対面する受け部材６３の表面と形成されており、このため、これらの面は、粗面となっている。
【００６２】
これにより、ボルト頭部用座金７８及びナット用座金７９と受け部材６３との間には、凹条と凸条による粗面によりボルト７０及び揺動部材７２の長孔７１に沿った移動を阻止するための粗面式移動阻止手段４０が設けられていることになる。
【００６３】
このため、この実施形態でも、ボルト７０及びナット７１を締め付けると、ボルト頭部用座金７８及びナット用座金７９と受け部材６３との間に上下方向の移動に対する大きな摩擦を生じさせることができるため、ボルト７０や揺動部材７２にソーラーパネルＳやソーラーパネル配置用フレーム５１等の重量に基づく下方への大きな荷重が作用しても、ボルト７０及び揺動部材７２と受け部材６３との位置関係が、受け部材６３の長孔２１に沿ったボルト７０の移動により変化してしまうことを阻止できることになり、基礎杭２の頂部でのソーラーパネル配置用フレーム１の支持高さ位置を、ボルト７０及びナット７７の締め付けで設定された所定の高さ位置に維持できる。
【００６４】
なお、この実施形態でも、受け部材１３は、長孔７１が形成された長孔用部材となっており、また、この長孔７１に軸部７０Ｂが挿入されているボルト７０は、梁部材５４の上下方向の揺動中心軸となっているピンとなっており、さらに、ピンとなっているこのボルト７０の軸部７０Ｂが挿入されている揺動部材７２はピンを備えた部材となっているため、この揺動部材７２はピン用部材となっている。
【産業上の利用可能性】
【００６５】
本発明は、太陽光発電のソーラーパネルを配置するために利用できるものであって、例えば、大規模発電のためのメガソーラーシステムに利用することができるものである。
【符号の説明】
【００６６】
１，５１  ソーラーパネル配置用フレーム
２，５２  支持部材である基礎杭
３  方杖部材
４，５４  梁部材
５，５５  根太部材
１３，６３  長孔部材である受け部材
２０，３３，７０  ピンであるボルト
２１，３２，７１  長孔
２２，７２  ピン用部材である揺動部材
２８，７８  ボルト頭部用座金
２９，７９  ナット用座金
３０  ピン用部材である長寸法部材
３１  長孔用部材である短寸法部材
３５Ａ，３６Ａ  凹条
３５Ｂ，３６Ｂ  凸条
４０  粗面式移動阻止手段
Ｓ  ソーラーパネル
【図１】
2015220845.tif 000003
【図２】
2015220845.tif 000004
【図３】
2015220845.tif 000005
【図４】
2015220845.tif 000006
【図５】
2015220845.tif 000007
【図６】
2015220845.tif 000008
【図７】
2015220845.tif 000009
【図８】
2015220845.tif 000010
【図９】
2015220845.tif 000011
【図１０】
2015220845.tif 000012
【図１１】
2015220845.tif 000013
【図１２】
2015220845.tif 000014